(57)【要約】【課題】  伏臥（水平）状態の天蓋の把手内に手（素手又は手袋）を差し込み易くすることにより、把手を起立し易くして、容器の持ち上げをし易くできる容器用の天蓋、及びそれを用いた容器を提供すること。【解決手段】  収納物を収納する容器本体１の上部開口を被蓋し、かつ容器持ち上げ用で起伏自在な把手１０を有する容器用の天蓋４であって、前記把手１０の伏臥状態において、該把手１０を把持した場合に、少なくともその把持した手が対面する前記天蓋４の上面５には、手が接触しないような凹陥部６を形成してある。【選択図】          図１
2007045420.tif 000002
【特許請求の範囲】
【請求項１】
収納物を収納する容器本体１の上部開口を被蓋し、かつ容器持ち上げ用で起伏自在な把手１０を有する容器用の天蓋４であって、
前記把手１０の伏臥状態において、把手１０の少なくとも把持部１２と該把持部１２が対面する天蓋４の上面５との間には、伏臥状態の把手１０を把持した手が天蓋４の上面５に接触しないような空間Ｓを形成してあることを特徴とする容器用の天蓋。
【請求項２】
前記空間Ｓとしては、把手１０の伏臥状態において、該把手１０を把持した場合に、少なくともその把持した手が対面する前記天蓋４の上面５に形成され、手が接触しないようにした凹陥部６によることを特徴とする請求項１記載の容器用の天蓋。
【請求項３】
前記空間Ｓとしては、把手１０の把持部１２に形成され、該把手１０の伏臥状態において、把持する手が天蓋４の上面５に接触しないようにした婉曲部１７によることを特徴とする請求項１記載の容器用の天蓋。
【請求項４】
前記空間Ｓとしては、把手１０の伏臥状態において、該把手１０が対面する天蓋４の上面５に突設された凸部２０によることを特徴とする請求項１記載の容器用の天蓋。
【請求項５】
容器本体１の上端部に請求項１〜４のいずれかの容器用の天蓋４を固定してなることを特徴とする容器。
【発明の詳細な説明】
【技術分野】
【０００１】
本発明は、塗料や化学薬品等の収納物を収納する缶などの容器に使用される把手つきの天蓋、及びそれを用いた容器に関する。
【背景技術】
【０００２】
従来より、塗料や灯油などの収納物を収納する缶として、（イ）例えば１８リットル缶などの大型缶としては図９に示すような構成のものが知られている。また、（ロ）中小缶としては図１０に示すような構成のものが知られている。
これら図９及び図１０の公知の缶は、いずれも、収納室０２を有する筒状の容器本体０１と、容器本体０１の下端部を閉塞する底板０３と、容器本体０１の上端部を閉塞する天蓋０４とからなっている。
【０００３】
前記天蓋０４の中央部上面には、把手挿入孔０６を有する座金０５を溶着しており、この座金０５の把手挿入孔０６に略台形状に形成されたリング状で比較的小形の把手０７の一方側の棒部である枢支部０７ａを枢動可能に遊嵌してあり、該把手０７は起伏自在に枢支される。すなわち、前記把手０７の枢支部０７ａを回動中心とする自由端側（把持部０７ｂ等）は、伏臥（水平）状態では天蓋０４の上面に当接する。そして、この伏臥（水平）状態の把手０７を起立させる際には、該把手０７内に手を差し込んで、前記把手０７の一方側の棒部である枢支部０７ａとは反対側の棒部である把持部０７ｂを把持し起立させて缶（容器）全体を持ち上げるものである。
なお、図９及び図１０で、０８は天蓋０４の隅角部に穿設された出入口であって、この出入口０８から収納物が出し入れされる。
【発明の開示】
【発明が解決しようとする課題】
【０００４】
しかしながら、上記従来の缶（容器）では、天蓋０４の把手０７を把持して容器を持ち上げる場合に、伏臥（水平）状態の把手０７は、その把持部０７ｂなどが天蓋０４の上面に当接しているため、該把手０７内に手を差し込み難く把手０７を起立し難いという問題があった。
【０００５】
また、容器が重い場合には、容器を持ち上げる際に手が痛まないように、手袋をした手で把手０７を把持することがあるが、このような場合には、把手０７内に手を一層差込し難いものであった。
【０００６】
本発明は、上記従来例の缶（容器）の有する問題点を解消しようするものであり、伏臥（水平）状態の天蓋の把手内に手（素手又は手袋）を差し込み易くすることにより、把手を起立し易くして、容器の持ち上げをし易くできる容器用の天蓋、及びそれを用いた容器を提供することを目的とする。
【課題を解決するための手段】
【０００７】
上記目的を達成するため、本発明の請求項１の容器用の天蓋は、収納物を収納する容器本体の上部開口を被蓋し、かつ容器持ち上げ用で起伏自在な把手を有する容器用の天蓋であって、前記把手の伏臥状態において、把手の少なくとも把持部と該把持部が対面する天蓋の上面との間には、伏臥状態の把手を把持した手が天蓋の上面に接触しないような空間を形成してあることを特徴とする。
【０００８】
請求項２の容器用の天蓋は、前記空間としては、把手の伏臥状態において、該把手を把持した場合に、少なくともその把持した手が対面する前記天蓋の上面に形成され、手が接触しないようにした凹陥部によることを特徴とする。この場合、天蓋の上面に形成される凹陥部は、把手の伏臥状態において手を入れる部分に対面する天蓋の上面に形成され、その形状は任意に選定できるし、間隔をおいて複数個形成することができる。また、前記凹陥部の形成場所は、把手の枢支部を中心にして左右の両側に形成することもできるし、左側または右側の片側だけに形成することもできる。
【０００９】
請求項３の容器用の天蓋は、前記空間としては、把手の把持部に形成され、該把手の伏臥状態において、把持する手が天蓋の上面に接触しないようにした婉曲部によることを特徴とする。
【００１０】
把手の把持部に形成される婉曲部は、手が入る程度の屈曲部を有すればよく、その形状や大きさは適宜に設計変更できる。
【００１１】
請求項４の容器用の天蓋は、前記空間としては、把手の伏臥状態において、該把手が対面する前記天蓋の上面に突設された凸部によることを特徴とする。
【００１２】
請求項５の容器は、請求項１〜４のいずれかの容器用の天蓋を容器本体の上端部に固定してなることを特徴とする。
【発明の効果】
【００１３】
請求項１の発明によれば、把手の少なくとも把持部と該把持部が対面する天蓋の上面との間には、伏臥状態の把手を把持した手が天蓋の上面に接触しないような空間を形成してあることから、伏臥状態の把手を起立させる際に、手（素手又は手袋）が天蓋の上面に当接することなく、把手内に手を差し込み易く該把手を容易に起立でき、容器の持ち上げが簡便となる。
【００１４】
請求項２の発明によれば、把手の伏臥状態において、該把手を把持した場合に、少なくともその把持した手が対面する前記天蓋の上面には、手が接触しないような凹陥部を形成してあるから、この凹陥部が把手と天蓋の上面との間の空間部となり、伏臥状態の把手を起立させる際に、手（素手又は手袋）が天蓋の上面に当接することなく、把手内に手を差込みし易く該把手を容易に起立でき、容器の持ち上げが簡便となる。
【００１５】
請求項３の発明によれば、把手の把持部には、該把手の伏臥状態において、把持する手が天蓋の上面に接触しないようにした婉曲部を形成してあるから、この婉曲部が把手と天蓋の上面との間の空間部となり、請求項１の発明と同様に、伏臥状態の把手を起立させる際に、手（素手又は手袋）が天蓋の上面に当接することなく、把手の婉曲部内に手を差し込み易く該把手を容易に起立でき、容器の持ち上げが簡便となる。
【００１６】
請求項４の発明によれば、前記空間としては、把手の伏臥状態において、該把手が対面する天蓋の上面に突設された凸部が形成されていることから、把手の伏臥状態時には、該把手は前記凸部上に載置されて、把手の把持部と天蓋の上面との間に空間部を形成する。それゆえ、請求項１の発明と同様に、伏臥状態の把手を起立させる際に、手（素手又は手袋）が天蓋の上面に当接することなく、把手内に手を差込みし易く該把手を容易に起立でき、容器の持ち上げが簡便となる。
【００１７】
請求項５の発明によれば、請求項１〜４のいずれかに記載された効果を有する容器が提供できる。
【実施例】
【００１８】
（第１実施例）  本発明の第１の実施例を図１〜図２に基づいて以下に説明する。
【００１９】
１は塗料や灯油や化学薬品等の収納物が収納される収納室２を有する容器本体であって、この容器本体１の下端部には底板３が形成され、上端部には容器本体１の収納室２の上部開口を被蓋する天蓋４が形成されている。
【００２０】
天蓋４は、容器本体１の上端部に結合されるのであるが、その結合構造は種々採用できる。この実施例では、図示していないが、容器本体１の上端部と天蓋４の外周縁部とを巻き締めにより結合して結合部を形成している。
【００２１】
前記天蓋４の中央部上面には、把手挿入孔１６を有する座金１５を溶着しており、この座金１５の把手挿入孔１６に、略台形状に形成されたリング状で比較的小形の把手１０の一方側の棒部である枢支部１１を枢動可能に遊嵌してあり、該把手１０は前記枢支部１１を回動中心として起伏自在に枢支される。
【００２２】
すなわち、把手１０は、通常時には、図１に示されているように、把手１０の一方側の棒部である枢支部１１とは反対側の棒部である把持部１２は伏臥されている。この伏臥状態から把手１０を起立させる場合には、把手１０内に手を差し込み該把手１０の把持部１２を把持し起立させて、この起立状態で容器全体を持ち上げるものである。なお、図１及び図２で、１３は枢支部１１と把持部１２とを連結する架橋部である。
【００２３】
前記把手１０の伏臥状態において、該把手１０を把持した場合に、少なくともその把持した手が対面する前記天蓋４の上面５には、手が接触しないような凹陥部６がプレス機などにより形成してある。すなわち、この凹陥部６は、把手１０の伏臥状態において、把手１０の少なくとも把持部１２と該把持部１２が対面する天蓋４の上面５との間に形成された空間Ｓをも形成することになる。
【００２４】
従って、図１に示されている把手１０の伏臥状態から把手１０を起立させる場合に、天蓋４の上面５に前記凹陥部６が形成してあるため、この凹陥部６が前記空間Ｓともなり、把手１０内に手を差し込み把手１０の把持部１２を把持し起立させる際に、手が天蓋４の上面５に接触しない（仮に接触する場合があっても接触しない状態と同視し得る。）ので、把手１０内に手を差し込み易く該把手１０を容易に起立でき、容器の持ち上げ操作が簡便となる。
【００２５】
なお、図１及び図２で、７は天蓋４の隅角部に穿設された出入口であって、この出入口７から収納物が出し入れされる。この出入口７には図示されていないがキャップが取り付けられる。
【００２６】
また、天蓋４の上面５に形成される凹陥部６は、前述したように、図１と図２に示す如く把手１０の把持部１２対応位置に大きく形成したものに限らず、複数列に分割して形成したものでもよく、適宜設計変更できる。さらに、凹陥部６の形成場所は、把手１０の枢支部１１を中心にして、図２で下側の実線部だけでなく上側の仮想線部の両側に形成できるし、両者の片側だけに形成できる。
【００２７】
（第２実施例）  本発明の第２の実施例を図３に基づいて以下に説明する。
【００２８】
この第２実施例の容器用の天蓋は、中型や小型の缶に適用されるものであって、この図３の容器用の天蓋４は、公知の図１０の構成に工夫を加えたものであり、図１及び図２のものに比べて、天蓋４自体の形状が異なるだけでなく、把手１０や座金１５などの形状及び取付位置も異なるが、把手１０は枢支部１１を回動中心として回動されるものであり、原理的には前記第１実施例のものと同様である。この第２実施例の場合も、隙間Ｓともなる凹陥部６を有する点で第１実施例と共通する。
【００２９】
（第３実施例）  本発明の第３の実施例を図４に基づいて以下に説明する。
【００３０】
この第３実施例の容器用の天蓋は、把手１０の形状を工夫したものであって、図４では天蓋４や把手１０が示されているだけで、容器本体１などは図１と同様に構成してあるので省略してある。
【００３１】
すなわち、この第３実施例の容器用の天蓋は、把手１０の把持部１２には、把手１０の伏臥状態において、把持する手が天蓋４の上面５に接触しないようにした婉曲部１７が形成されている。従って、図４の如く把手１０が伏臥状態においては、把手１０の枢支部１１と把持部１２間の架橋部１３は天蓋４の上面５に当接するが、前記婉曲部１７の下面側はトンネル状の空間Ｓが形成される。
【００３２】
前記空間Ｓがあるため、図４の如く把手１０の伏臥状態において、この空間Ｓ内に手を差し込み把手１０の把持部１２（婉曲部１７）を把持し起立させる際に、手が天蓋４の上面５には接触しないので、把手１０内に手を差し込み易く該把手１０を容易に起立でき、容器の持ち上げ操作が簡便となる。
【００３３】
上記把手１０を図４で右方向に回動させた場合には、把手１０の婉曲部１７の近隣にある凹部１９、１９が前記空間Ｓと同様の役割を担う。
【００３４】
図５は、図４の変形例を示すもので、これは、前記凹部１９、１９を図４のものよりかなり深い凹部としたものである。
【００３５】
図６は、把手１０の婉曲部１７が、図４や図５の如く部分的な婉曲ではなく、円弧状に全体が婉曲されたものである。
【００３６】
（第４実施例）  本発明の第４の実施例を図７及び図８に基づいて以下に説明する。
【００３７】
この第４実施例の容器用の天蓋４は、公知の図１０の構成のものに工夫を加えたものである。すなわち、把手１０の伏臥状態において、該把手１０が対面する天蓋４の上面５に凸部２０を突設してなるものである。この凸部２０としては、図７及び図８では、把手１０の架橋部１３が天蓋４の上面５に対面する部分に、該把手１０の枢支部１１を回動中心として左右に１対突設している。
【００３８】
上記凸部２０を設けたことから、例えば、図７及び図８に示す如く、把手１０が図において左側に伏臥している時には、把手１０の架橋部１３は前記凸部２０上に載置されて、この凸部２０が把手１０を支持する接点となり、把手１０の把持部１２と天蓋４の上面５との間に隙間Ｓを形成する。
【００３９】
把手１０を図７で右方向に回動して伏臥させた時には、図示されていないが、把手１０の架橋部１３が右側の凸部２０に当接することにより、上記と同様にして、把手１０の把持部１２と天蓋４の右方向の上面５との間に空間Ｓが形成される。
【００４０】
前記凸部２０は、把手１０の把持部１２や枢支部１１近傍位置に形成することもでき、適宜設計変更できる。
凸部２０は、図７及び図８に示す如く左右１対でなくても、左右の一方側だけでもよく、また図７では下側だけ設けているが、上側の左右の両方又は片方に設けることもできる。
【産業上の利用可能性】
【００４１】
本発明は、塗料や化学薬品等の収納物を収納する金属製の缶に限らず、合成樹脂製の容器などにも利用できる。
【図面の簡単な説明】
【００４２】
【図１】本発明の第１実施例を示す容器全体の斜視図である。
【図２】図１に示した容器用の天蓋の平面図である。
【図３】本発明の第２実施例の容器用の天蓋の平面図である。
【図４】本発明の第３実施例の要部斜視図である。
【図５】図４の第１変形例の要部斜視図である。
【図６】図４の第２変形例の要部斜視図である。
【図７】本発明の第４実施例の容器用の天蓋の平面図である。
【図８】図７の一部を拡大した側面図である。
【図９】従来例の大型缶用の容器用の天蓋の平面図である。
【図１０】従来例の中小缶用の容器用の天蓋の平面図である。
【符号の説明】
【００４３】
１                容器本体
２                収納室
４                天蓋
５                上面
６                凹陥部  
１０              把手
１１              枢支部  
１２              把持部
１３              架橋部
１５              座金
１６              把手挿入孔
１７              婉曲部
１９              凹部
２０              凸部
Ｓ                空間
【図１】
2007045420.tif 000003
【図２】
2007045420.tif 000004
【図３】
2007045420.tif 000005
【図４】
2007045420.tif 000006
【図５】
2007045420.tif 000007
【図６】
2007045420.tif 000008
【図７】
2007045420.tif 000009
【図８】
2007045420.tif 000010
【図９】
2007045420.tif 000011
【図１０】
2007045420.tif 000012